【手続補正書】
【提出日】平成21年5月15日(2009.5.15)
【手続補正１】
【補正対象書類名】明細書
【補正対象項目名】特許請求の範囲
【補正方法】変更
【補正の内容】
【特許請求の範囲】    【請求項１】  ビデオ・フレームの多重ストリームを処理する方法であって、  前記多重ストリームを分析し、前記多重ストリームを構成する前記ビデオ・フレームの相対複雑度を決定するために、前記多重ストリームの符号化以前に、前記ビデオ・フレームの前記相対複雑度に関するピクチャ統計を獲得するステップと、  前記ビデオ・フレームの相対複雑度を用いて、前記多重ストリームを並列に符号化するステップであって、前記相対複雑度の変化により、前記多重ストリームを適応的に符号化するステップと、  前記符号化の間に、前記ビデオ・フレームの各ストリームを分析し、そのイントラフレーム特性またはインタフレーム特性のいずれかを含む、少なくとも１つの特性に関する符号化統計を導出するステップと  を含み、前記適応的に符号化するステップが、前記ピクチャ統計及び前記符号化統計の両方を使用し、前記多重ストリームを適応的に符号化するステップを含み、 前記適応的に符号化するステップが、前記相対複雑度の変化により、前記ビデオ・ストリームの多重ストリームを符号化するために、前記符号化するステップにより使用される少なくとも１つの符号化ビット・レートを調整するステップを含み、ビデオ・フレームの前記多重ストリームの少なくとも１つのために前記少なくとも１つの符号化ビット・レートを調整するステップが、前記少なくとも１つのストリーム内の新しいフレームのグループ（ＧＯＰ）の開始に応じてのみ発生し、ビデオ・フレームの前記少なくとも１つのストリームに対して、前記符号化ビット・レートがそれぞれのＧＯＰ内で一定であり、ＧＯＰ間で可変である、方法。    【請求項２】  前記ピクチャ統計及び前記符号化統計の両方を使用し、前記適応的に符号化するステップが、前記ピクチャ統計及び前記符号化統計を所定量により重み付けすることにより、前記多重ストリームを符号化するために前記符号化するステップにより使用される前記少なくとも１つの符号化ビット・レートを調整するステップを含む、請求項１記載の方法。    【請求項３】  前記重み付けするステップが、前記ピクチャ統計を５０％に、及び前記符号化統計を５０％に重み付けすることにより、前記多重ストリームの前記相対複雑度にもとづき、前記少なくとも１つの符号化ビット・レートを調整するステップを含む、請求項２記載の方法。    【請求項４】  前記多重ストリームの１ストリーム内のシーン変化の検出時に、前記多重ストリームを適応的に符号化するステップを実行するステップを含み、前記符号化するステップが、前記シーン変化の検出に応じて新しいＧＯＰを開始するステップを含む、請求項１記載の方法。    【請求項５】  前記適応的に符号化するステップが、前記多重ストリームの前記ピクチャ統計及び前記符号化統計にもとづき、前記符号化するステップにより使用される少なくとも１つの符号化ビット・レートを調整するステップを含み、前記符号化するステップが多重圧縮ビデオ・ストリームを生成するものにおいて、前記方法が各圧縮ビデオ・ストリームをバッファ内にバッファリングするステップを含み、前記適応的に符号化するステップが、各ストリームに対して、前記圧縮ビデオ・ストリームを受信する前記バッファの充填度にもとづき、前記少なくとも１つの符号化ビット・レートを変更するステップを含む、請求項１記載の方法。    【請求項６】  前記バッファの上限及び下限の保護帯域を事前に定義するステップを含み、前記バッファの充填度が前記バッファの上限または下限のいずれかの前記保護帯域内にある場合、前記少なくとも１つの符号化ビット・レートを変更するステップを含む、請求項５記載の方法。    【請求項７】  ビデオ・フレームの多重ストリームを処理する方法であって、  前記多重ストリームを分析し、イントラフレーム特性またはインタフレーム特性のいずれかを含む、少なくとも１つの特性に関するピクチャ統計を導出するステップと、  前記ビデオ・フレームの各ストリームに対して、少なくとも１つの制御可能な符号化パラメータを使用し、前記多重ストリームを並列に符号化するステップと、  前記多重ストリームから獲得される前記ピクチャ統計からの相対情報を使用し、少なくとも１つのストリームの符号化に使用される少なくとも１つの制御可能な符号化パラメータを調整することにより、前記多重ストリームの符号化を前記少なくとも１つの特性の相対変化に適応化するステップと、  前記符号化の間に、前記ビデオ・フレームの各ストリームを分析し、イントラフレーム符号化特性またはインタフレーム符号化特性のいずれかを含む、少なくとも１つの符号化特性に関する符号化統計を導出するステップと  を含み、前記符号化を適応化するステップが、前記符号化統計を前記ピクチャ統計と共に使用し、前記少なくとも１つのストリームの符号化を適応化するステップを含み、 前記少なくとも１つの制御可能な符号化パラメータが、少なくとも１つの符号化ビット・レートを含み、前記符号化を適応化するステップが、前記少なくとも１つのストリーム内の新しいフレームのグループ（ＧＯＰ）の開始に応じてのみ発生し、ビデオ・フレームの前記少なくとも１つのストリームに対して、前記符号化ビット・レートがそれぞれのＧＯＰ内で一定であり、ＧＯＰ間で可変である、方法。    【請求項８】  前記符号化を適応化するステップが、前記ピクチャ統計及び前記符号化統計の両方を使用することにより、前記少なくとも１つのストリームの符号化に使用される、前記少なくとも１つの符号化ビット・レートを調整するステップを含む、請求項７記載の方法。    【請求項９】  前記ピクチャ統計及び前記符号化統計を所定の関係で使用することにより、前記少なくとも１つのストリームの前記符号化に使用される、前記少なくとも１つの符号化ビット・レートを調整するステップを含む、請求項８記載の方法。    【請求項１０】  前記適応化するステップが、前記多重ストリームの符号化の開始時、及び前記多重ストリームの１ストリーム内のシーン変化の検出時に、前記ピクチャ統計だけを使用するステップを含み、前記符号化するステップが、前記シーン変化の検出に応じて新しいＧＯＰを開始するステップを含む、請求項７記載の方法。    【請求項１１】  ビデオ・フレームの多重ストリームを処理するシステムであって、  前記多重ストリームを分析し、前記多重ストリームを構成する前記ビデオ・フレームの相対複雑度を表すピクチャ統計を決定する分析手段と、  各々が前記多重ストリームの１ストリームを受信し、符号化される前記ストリームのイントラフレーム特性またはインタフレーム特性のいずれかを含む、少なくとも１つの特性に関する符号化統計を生成する手段を含む、前記多重ストリームを並列に符号化する複数の符号器と、  前記各符号器及び前記分析手段に接続され、前記多重ストリームを構成する前記ビデオ・フレームから導出される前記ピクチャ統計及び前記符号化統計にもとづき、少なくとも１つのストリームの符号化を動的に適応化する結合制御装置とを含み、 前記結合制御装置が、前記複数の符号器のうちの少なくとも１つの符号器によって使用される少なくとも１つの符号化ビット・レートを調整する手段を含み、前記調整が、前記少なくとも１つのストリーム内の新しいフレームのグループ（ＧＯＰ）の開始に応じてのみ発生し、ビデオ・フレームの前記少なくとも１つのストリームに対して、前記符号化ビット・レートがそれぞれのＧＯＰ内で一定であり、ＧＯＰ間で可変である、システム。    【請求項１２】  ビデオ・フレームの多重ストリームを処理するシステムであって、  ビデオ・フレームの多重ストリームを分析し、イントラフレーム特性またはインタフレーム特性のいずれかを含む、少なくとも１つの特性に関するピクチャ統計を導出する分析手段と、  各々が前記多重ストリームの１ストリームを受信し、少なくとも１つの符号化ビット・レートを用いて前記ストリームを符号化し、前記符号化の間に前記ストリームを分析し、イントラフレーム符号化特性またはインタフレーム符号化特性のいずれかを含む、少なくとも１つの符号化特性に関する符号化統計を導出する符号化手段を含む、前記多重ストリームを並列に符号化する複数の符号器と、      前記各符号器及び前記分析手段に接続され、前記ピクチャ統計及び前記符号化統計から導出される相対情報にもとづき、少なくとも１つのストリームの符号化を動的に適応化する結合制御装置とを含み、 前記符号化の適応化が、前記少なくとも１つのストリームの前記符号化に使用される、前記少なくとも１つの符号化ビット・レートの調整を含み、前記調整が、前記少なくとも１つのストリーム内の新しいフレームのグループ（ＧＯＰ）の開始に応じてのみ発生し、ビデオ・フレームの前記少なくとも１つのストリームに対して、前記符号化ビット・レートがそれぞれのＧＯＰ内で一定であり、ＧＯＰ間で可変である、システム。    【請求項１３】  ビデオ・フレームの多重ストリームの処理をコンピュータに指示するためのプログラムを記録するコンピュータ読み取り可能な記録媒体であって、前記プログラムが、 （ｉ）前記ビデオ・フレームの多重ストリームを分析し、前記多重ストリームを構成する前記ビデオ・フレームの相対複雑度を決定するように前記コンピュータに指示し、前記多重ストリームの符号化以前に、前記ビデオ・フレームの前記相対複雑度に関するピクチャ統計を獲得する手段、 （ｉｉ）前記ビデオ・フレームの相対複雑度を用い、前記多重ストリームを並列に符号化するように前記コンピュータに指示し、前記ビデオ・フレームの前記相対複雑度の変化により、前記多重ストリームを適応的に符号化する手段、  （ｉｉｉ）前記符号化の間に、前記ビデオ・フレームの各ストリームを分析し、そのイントラフレーム特性またはインタフレーム特性のいずれかを含む、少なくとも１つの特性に関する符号化統計を導出する手段であって、前記適応的に符号化する手段が、前記ピクチャ統計及び前記符号化統計の両方を使用し、前記多重ストリームを適応的に符号化する、手段、 （ｉｖ）前記少なくとも１つのストリームの前記符号化に使用される、前記少なくとも１つの符号化ビット・レートを調整する手段であって、前記調整が、前記少なくとも１つのストリーム内の新しいフレームのグループ（ＧＯＰ）の開始に応じてのみ発生し、ビデオ・フレームの前記少なくとも１つのストリームに対して、前記符号化ビット・レートがそれぞれのＧＯＰ内で一定であり、ＧＯＰ間で可変である、手段、 としてコンピュータを機能させる、媒体。    【請求項１４】  ビデオ・フレームの多重ストリームの処理を指示するためのプログラムを記録するコンピュータ読み取りな可能な記録媒体であって、前記プログラムが、 （ｉ）前記ビデオ・フレームの多重ストリームを分析し、イントラフレーム特性またはインタフレーム特性のいずれかを含む、少なくとも１つの特性に関するピクチャ統計を導出する手段、 （ｉｉ）前記ビデオ・フレームの各ストリームに対して、少なくとも１つの制御可能な符号化パラメータを使用し、前記多重ストリームを並列に符号化する手段、 （ｉｉｉ）前記多重ストリームから獲得される前記ピクチャ統計からの相対情報を使用し、少なくとも１つのストリームの符号化に使用される少なくとも１つの制御可能な符号化パラメータを調整することにより、前記多重ストリームの符号化を前記相対情報の変化に適応化する手段、 （ｉｖ）前記符号化の間に、前記ビデオ・フレームの各ストリームを分析し、イントラフレーム符号化特性またはインタフレーム符号化特性のいずれかを含む、少なくとも１つの符号化特性に関する符号化統計を導出する手段であって、前記符号化を適応化する手段が、前記符号化統計を前記ピクチャ統計と共に使用し、前記ビデオ・フレームの少なくとも１つのストリームの前記符号化を適応化する、手段、としてコンピュータを機能させ、 （ｖ）前記少なくとも１つの制御可能な符号化パラメータが、少なくとも１つの符号化ビット・レートを含み、前記符号化を適応化するステップが、前記少なくとも１つのストリーム内の新しいフレームのグループ（ＧＯＰ）の開始に応じてのみ発生し、ビデオ・フレームの前記少なくとも１つのストリームに対して、前記符号化ビット・レートがそれぞれのＧＯＰ内で一定であり、ＧＯＰ間で可変である、媒体。    【請求項１５】 請求項１から１０のいずれかに記載の方法の各ステップをコンピュータに実行させるコンピュータ・プログラムを記録するコンピュータ読み取り可能な記録媒体。